(57)【要約】【課題】  人体型への装着作業を、簡単、迅速にでき、また人体型の前後を覆う本体部分の側部開閉用のファスナー等を省略できるようにして、ファスナー跡の無い綺麗な仕上がりを可能にし、また製造コスト、加工コスト、部品コストを抑え、製品を安価に提供できるようにする。【解決手段】  衣服１を着せるための人体型２の前後を覆う布製の本体部分３と、この本体部分３を人体型２の台座部４に取り付けるための取り付け部材５とを備えて形成する。本体部分３を、正面から見て織糸を打ち違えて形成する。取り付け部材５は、本体部分３の幅方向の全体を一度に下方に牽引して台座部４に固定するための牽引用部材５ａを備えて形成するのが良い。また牽引用部材５ａを、本体部分３の下端に垂らすエプロン状部材で形成し、このエプロン状部材の解放状の下端に、前後の牽引用部材５ａ同士を連結するための面状ファスナー５ｂを設けるのが良い。【選択図】      図１
2018061626.tif 000002
【特許請求の範囲】
【請求項１】
衣服を着せるための人体型の前後を覆う布製の本体部分と、この本体部分を人体型の台座部に取り付けるための取り付け部材とを備えて形成されている衣服仕上げ機の人体型装着用カバーであって、上記の本体部分が、正面から見て織糸が打ち違えられて形成されていることを特徴とする衣服仕上げ機の人体型装着用カバー。
【請求項２】
請求項１記載の衣服仕上げ機の人体型装着用カバーであって、取り付け部材が、本体部分の幅方向の全体を一度に下方に牽引して台座部に固定するための牽引用部材を備えて形成されていることを特徴とする衣服仕上げ機の人体型装着用カバー。
【請求項３】
請求項２記載の衣服仕上げ機の人体型装着用カバーであって、牽引用部材が、本体部分の下端に垂らされているエプロン状部材で形成され、このエプロン状部材の解放状の下端に、前後の牽引用部材同士を連結するための面状ファスナーが設けられていることを特徴とする衣服仕上げ機の人体型装着用カバー。
【発明の詳細な説明】
【技術分野】
【０００１】
本発明は、洗濯したワイシャツ等の衣服を、起立状の人体型に着せた状態でプレス仕上げする衣服仕上げ機に関し、更に詳しくは人体型に装着して使用するカバーに関するものである。
【背景技術】
【０００２】
従来、この種のカバーとしては、例えば特許文献１に記載されているものがある。
この従来品は、衣服を着せるための人体型の前後を覆う布製の本体部分と、この本体部分を人体型の台座部に取り付けるための取り付け部材とを備えて形成されている。
【０００３】
この場合、この従来品は、本体部分の側部を紐で開閉する構造であり、また取り付け部材は、本体部分の下部に形成されている袋孔状の紐通し部に通される紐で形成されていた。
【０００４】
従って、従来品は、人体型の前後に本体部分を被せ、側部を紐で縛って装着する必要があった。その結果、これによると、カバーの装着作業、交換作業に手間暇がかかる、という問題点があった。
【０００５】
また従来、本体部分の側部にファスナーが縦向きに設けられ、側部の開閉をファスナーで行う構造のカバーも知られている。
しかしながら、この種のカバーは、ファスナーによる段差がプレス仕上がりに悪影響を与え易い。
【０００６】
そのため、この従来品の場合は、衣服を綺麗にプレス仕上げできず、またこの段差を平滑化するための縫製加工に手間暇がかかるのを避けられなかった。
その結果、これによると、製造コストや加工コストが増加し、ファスナー等の部品が必要になる分、製品価格が高く付く、という問題点があった。
【先行技術文献】
【特許文献】
【０００７】
【特許文献１】特開２００３−２４６９９号公報
【発明の概要】
【発明が解決しようとする課題】
【０００８】
本発明は、このような従来技術の問題点に鑑み、提案されたものである。
従って、本発明の解決しようとする技術的課題は、洗濯したワイシャツ等の衣服を人体型に着せた状態で仕上げる衣服仕上げ機の、上記の人体型に装着して使用するカバーにおいて、人体型への装着作業を、簡単、迅速にでき、また人体型の前後を覆う本体部分の側部開閉用のファスナー等を省略できるようにして、ファスナー跡の無い綺麗な仕上がりを可能にし、また製造コスト、加工コスト、部品コストを抑え、製品を安価に提供できるよう形成した衣服仕上げ機の人体型装着用カバーを提供することにある。
【課題を解決するための手段】
【０００９】
本発明は、上記の課題を解決するため、次のような技術的手段を採る。
即ち、本発明のカバーは、図１等に示されるように、衣服１を着せるための人体型２の前後を覆う布製の本体部分３と、この本体部分３を人体型２の台座部４に取り付けるための取り付け部材５とを備えて形成されている衣服仕上げ機の人体型装着用カバーであって、上記の本体部分３が、正面から見て織糸が打ち違えられて形成されていることを特徴とする（請求項１）。
【００１０】
ここで、織糸が打ち違えられて、とは、具体的には織糸としての縦糸と横糸が、斜め十文字の形に配置されている、ということを意味する。これにより、本発明は、伸縮性の専用のシート材によることなく、本体部分３に伸縮機能を発揮させることができるものである。
【００１１】
而して、本発明は、取り付け部材５が、本体部分３の幅方向の全体を一度に下方に牽引して台座部４に固定するための牽引用部材５ａを備えて形成されているのが好ましい（請求項２）。
【００１２】
なぜなら、これによると、本体部分３を幅方向（左右方向）の全体にわたって均等に一度で牽引でき、より一層、カバーの装着作業を、簡単且つ迅速にできるからである。
【００１３】
またこの場合、本発明は、牽引用部材５ａが、図２、図５等に示されるように、本体部分３の下端に垂らされているエプロン状部材で形成され、このエプロン状部材の解放状の下端に、前後の牽引用部材５ａ同士を連結するための面状ファスナー５ｂが設けられているのが好ましい（請求項３）。
【００１４】
なぜなら、これによると、本体部分３に牽引用部材５ａとしてのエプロン状部材を縫い付けることで、簡単、迅速に、本発明品を実現できるからである。
またこの場合は、牽引用部材５ａとしてのエプロン状部材の連結操作を、面状ファスナー５ｂで行うため、これによると、人体型２に対するカバーの着脱操作を、更に、簡単化、迅速化できるからである。
【発明の効果】
【００１５】
本発明のカバーは、このように布製の本体部分が、正面から見て織糸が打ち違えられて形成されている。
従って、本発明の場合は、本体部分の生地に伸縮性（ストレッチ性）が生じるから、これによると、人体型に被せ、Ｔシャツを着せるときのように引き下ろすことで、人体型に簡単且つ迅速に装着できる。
【００１６】
また本発明は、本体部分の側部の開閉用の紐やファスナーを省略できる。
従って、本発明によると、ファスナー跡の無い綺麗な仕上げが可能になるだけではなく、ファスナーの段差を平滑化するための縫製加工の手間暇等を一掃でき、またファスナー等の部品を省略できる分、カバーを安価に提供できる。
【図面の簡単な説明】
【００１７】
【図１】本発明のカバーの好適な一実施形態を示す使用状態時の正面図である。
【図２】同上カバーの使用例を説明するための正面図である。
【図３】同上カバーの正面図である。
【図４】同上カバーの要部拡大正面図である。
【図５】図４のＶ−Ｖ線における拡大断面図である。
【図６】同上カバーの背面図である。
【発明を実施するための形態】
【００１８】
以下、本発明の好適な一実施形態を、添付図面に従って説明する。
本発明は、例えばワイシャツ等の衣服１を着せるための人体型２の前後を覆う布製の本体部分３と、この本体部分３を人体型２の台座部４に取り付けるための取り付け部材５とを備えて形成されている。
【００１９】
人体型２は、ワイシャツ等の衣服１の襟元を押えるクランパー２ａを備えて形成されている。
なお、ここで、人体型２の台座部４とは、人体型２の取り付け台の箇所だけではなく、その周辺の部分や、また人体型２の下方の衣服仕上げ機のベース部分も含まれる。
【００２０】
本発明品は、この実施形態では図２に示されるように、ボディベースカバー６を介して人体型２に被せられるものである。ボディベースカバー６は、非通気性の布で形成され、衣服１の前身頃を人体型２に吸着できるよう、前側部分６ａが、この実施形態では台形状に開口されている。
【００２１】
而して、本発明の場合、人体型２の前後を覆う本体部分３は、正面から見て織糸が打ち違えられて形成されている。換言すると、本体部分３は、織糸としての縦糸と横糸を、斜め十文字の形に配置して形成されている。
【００２２】
また前側の本体部分３は、上記のボディベースカバー６の開口状の前側部分６ａに対応する位置が、吸着作用に支障を生じさせないよう形成されている。具体的には、この前側の本体部分３は、その周辺部の裏側に、ボディベースカバー６の前側形状に合わせて、非通気性の布７（図１、図５等参照）が重合されて縫い付けられている。これにより、前側の本体部分３は、ボディベースカバー６の前側部分６ａの形状に対応する台形状の一重の部分３ａを備えて形成されている。
【００２３】
またこの実施形態では前後の本体部分３は、その左右に配置される空気袋８を介して接続されている。この空気袋８は、非通気性の布で縦長の袋状に形成され、本体部分３の両側に縫い付けられている。
【００２４】
また上記の空気袋８は、その上下位置に、人体型２と台座部４の所定位置に結び付けるためのゴム紐９が設けられている。また空気袋８は、その下端に、エアーの供給口８ａが設けられ、この供給口８ａを介してブロワー（図示せず）から供給されるエアーで膨張し、衣服１の両側を、膨張仕上げ可能に形成されている。
【００２５】
なお、図１等において、１０は、空気袋８の上側のゴム紐９を結び付けるため、人体型２の上部の両側に設けられている突起である。下側のゴム紐９は、台座部４を構成する台板４ａに結び付けられる。
【００２６】
また取り付け部材５は、人体型２の前後の本体部分３の全体を下方に牽引して連結するための牽引用部材５ａを備えて形成されている。この牽引用部材５ａは、この実施形態では前後の本体部分３の下端に垂らされている布製のエプロン状部材で形成されている。
【００２７】
牽引用部材５ａとしてのエプロン状部材は、正面から見て長方形に形成され、本体部分３の幅方向のほぼ全長にわたって垂らされている。またこのエプロン状部材は、この実施形態では図５に示されるように、後側の本体部分３の方が、前側の本体部分３より、縦の長さが長く形成されている。そして、このエプロン状部材は、その解放状の下端に、エプロン状部材同士を連結するための面状ファスナー５ｂが設けられている。
【００２８】
具体的には、縦の長さが短い前側のエプロン状部材には、下端に沿って正面側（表側）にバンド状の雄型の面状ファスナー５ｂが設けられている。また縦の長さが長い後側のエプロン状部材には、下端に沿って正面側（表側）にバンド状の雌型の面状ファスナー５ｂが設けられている。各面状ファスナー５ｂは、この実施形態では牽引用部材５ａとしてのエプロン状部材の幅方向のほぼ全長にわたって設けられている。
【００２９】
なお、取り付け部材５は、この実施形態では牽引用部材５ａとしてのエプロン状部材と共に、紐５ｃを備えて形成されている。この紐５ｃは、本体部分３の下部の周囲に形成されている袋孔状の紐通し部３ｂ（図５参照）に通されている。
【００３０】
次に、この実施形態に係る本発明の作用を説明する。
【００３１】
先ず、作業者は、図２に示されるように、人体型２に、本発明品を、Ｔシャツを着せるように被せる。そして、本発明品を引き下ろし、人体型２に装着する。
【００３２】
次に、作業者は、後側の牽引用部材５ａとしてのエプロン状部材を下方に引きながら、台座部４の所定箇所を内包させて前側に引き回す（図５の矢印参照）。そして、作業者は、後側のエプロン状部材の面状ファスナー５ｂと、前側のエプロン状部材の面状ファスナー５ｂとを鉤着する。
【００３３】
その後、作業者は、図１に示されるように、取り付け部材５としての紐５ｃで本発明品を台座部４に縛り付ける。また作業者は、空気袋８の上下端のゴム紐９を、突起１０と台板４ａに結び付け、空気袋８を縦向きに張ると共に、エアーの供給口８ａにダクト（図示せず）を接続する。
【００３４】
なお、上記の空気袋８は、前後一対のプレス鏝によるプレス時に、エアーが供給されて膨張する。空気袋８は、膨張すると、その膨張圧で、人体型２を押圧している状態（閉じた状態）のプレス鏝の側部内面に、衣服１としてのワイシャツの側部を押し付ける。これにより、ワイシャツの側部の皴が除去される。
【００３５】
而して、本発明品は、上記の通り、本体部分３が織目を打ち違えて形成されている。
従って、本発明品は、本体部分３が伸縮性（ストレッチ性）を有するから、作業者が、本体部分３の収縮作用に抗して、本発明品を人体型２に被せると、本体部分３は、一旦、伸張して広がり、本体部分３が完全に引き下ろされると、本体部分３の収縮作用で人体型２に本発明品が緊張状に装着される。
【００３６】
そして、作業者が、牽引用部材５ａとしてのエプロン状部材を下方に引っ張り、牽引用部材５ａ同士を面状ファスナー５ｂで止めると、本体部分３は幅方向の全体にわたって同じ力でバランス良く引かれて固定される。従って、この実施形態の本発明品によれば、本体部分３に、部分的な縦横の引き攣れ皴を生じさせることなく、人体型２に綺麗に装着できる。
【００３７】
本発明品は、このように本体部分３の布（生地）のストレッチ性を利用して人体型２に装着する構造である。
従って、これによると、Ｔシャツを着せるように人体型２にカバーを装着できるから、人体型２への装着操作を、簡単化、迅速化できる。またこれによると、ファスナー等を省略できるから、ファスナー跡の無い綺麗な仕上がりを実現でき、また製造コスト、加工コスト、部品コストを抑えることができ、カバーを安価に提供できる。
【００３８】
以上の処において、上記の本体部分３は、ストレッチ性を損なわない範囲であれば、織糸の太さや材質、また目の大きさ等は自由である。
【００３９】
また上記の牽引用部材５ａは、上例では布製のエプロン状部材であるが、本発明は、これに限定されるものではない。即ち、牽引用部材５ａは、本体部分３の幅方向の全体を一度に下方に牽引できるのであれば、その構造や材質は自由である。
【００４０】
牽引用部材５ａの他の構造としては、例えば前後の本体部分３の下端に設ける横棒（本体部分３の幅方向に対応する長さに形成されている）と、この横棒を下方に牽引して台座部４に固定するための紐やバンド等とで形成されるものがある。
【符号の説明】
【００４１】
１      衣服
２      人体型
３      本体部分
４      台座部
５      取り付け部材
【図１】
2018061626.tif 000003
【図２】
2018061626.tif 000004
【図３】
2018061626.tif 000005
【図４】
2018061626.tif 000006
【図５】
2018061626.tif 000007
【図６】
2018061626.tif 000008